(57)【要約】  【課題】  管状器官内にステント等の治療具を挿入する場合に、治療具がシース内からスムーズに吐出し、位置ずれを起こすことなく留置できるようにした管状器官用治療具の挿入装置を提供する。  【解決手段】  この管状器官用治療具の挿入装置１０は、管状器官内に挿入される可撓性チューブからなるシース２０と、シース内に挿入される可撓性シャフト３０と、可撓性シャフトの先端部に取付けられた先端面が曲面状をなす頭部３２と、前記頭部の基部寄りの部分から所定長さの部分において前記可撓性シャフト外周を覆う弾性樹脂被覆部３１と、前記弾性樹脂被覆部の外周に配置され、その状態で前記シース内に収納される管状器官用治療具（例えばステントグラフト４０）とを備えている。【選択図】  図１
2005058458.tif 000002
【特許請求の範囲】
【請求項１】
管状器官内に挿入される可撓性チューブからなるシースと、シース内に挿入される可撓性シャフトと、可撓性シャフトの先端部に取付けられた先端面が曲面状をなす頭部と、前記頭部の基部寄りの部分から所定長さの部分において前記可撓性シャフト外周を覆う弾性樹脂被覆部と、前記弾性樹脂被覆部の外周に配置され、その状態で前記シース内に収納される管状器官用治療具とを備えていることを特徴とする管状器官用治療具の挿入装置。
【請求項２】
前記管状器官用治療具は、ステント、又はステント本体の外周又は内周に筒状のカバーを有するステントグラフトである請求項１記載のステント挿入装置。
【請求項３】
前記管状器官用治療具は、ステント本体外周にカバー部材を有し、該カバー部材が前記ステント本体の端部のみに固定されたステントグラフトからなり、前記ステント本体が前記シース内に収容され、前記カバー部材が前記シースの外周に被覆される請求項２記載の管状器官用治療具の挿入装置。
【請求項４】
前記管状器官用治療具の端部の外周に絡み付けて引っ張ることにより、前記管状器官用治療具の端部を縮径させることができる線状部材を備えている請求項１〜３のいずれか１つに記載の管状器官用治療具の挿入装置。
【請求項５】
前記可撓性シャフトの外周又は該可撓性シャフトの外周に装着されたチューブの外周に凹部が形成され、この凹部に弾性樹脂が充填されることによって、前記弾性樹脂被覆部が構成されている請求項１〜４のいずれか１つに記載の管状器官用治療具の挿入装置。
【発明の詳細な説明】
【技術分野】
【０００１】
本発明は、例えば血管、尿管、胆管、気管などの人体の管状器官に、ステントやステントグラフト等の治療具を挿入するための管状器官用治療具の挿入装置に関する。
【背景技術】
【０００２】
近年、血管、尿管、胆管、気管などの人体の管状器官における治療のため、カテーテルを通してステントを挿入し配置することが行われている。例えば血管の狭窄部にステントを配置して拡張したり、動脈瘤が形成された箇所にステントを配置して動脈瘤の破裂を防止する治療方法が知られている。特に動脈瘤の治療においては、ステントの外周に織布などの筒状カバーを被覆してなるステントグラフトが使用されている。
【０００３】
前記ステントを所望の位置へ留置させる方法として、下記特許文献１には、芯材の先端部外周にステントが係合する凹凸を形成し、その外周にステントを配置して、シース内に収納したステント挿入装置が開示されている。
【特許文献１】特表２００３−５００１０４号公報
【発明の開示】
【発明が解決しようとする課題】
【０００４】
従来のステント挿入装置においては、ステントをシース内に収容し、シースの先端を管状器官内の治療部位に到達させた後、プッシャ等でステントを抑えつつシースを基部側に引くことにより、ステントをシースの先端から吐出させて拡張させるようにしている。
【０００５】
しかしながら、ステントを縮径させてシース内に収容すると、ステントとシース内壁との間の摩擦力が強いため、シースからステントをスムーズに吐出させることができず、位置ずれや型くずれを起こしやすいという問題があった。
【０００６】
これに対して、上記特許文献１のステント挿入装置では、芯材の先端部外周にステントが係合する凹凸を形成して、ステントが芯材とより強く係合し、芯材を動かさないでシースを基部側に引くことにより、ステントが芯材にくっついた状態でスムーズにシースから吐出するようにしている。
【０００７】
しかしながら、芯材は、比較的細いものであるため、その外周にステントが効果的に係合する凹凸を作ることは、容易ではないと推測される。
【０００８】
したがって本発明の目的は、管状器官内にステント等の治療具を挿入する場合に、治療具がシース内からスムーズに吐出し、位置ずれを起こすことなく留置できるようにした管状器官用治療具の挿入装置を提供することにある。
【課題を解決するための手段】
【０００９】
上記目的を達成するため、本発明の第１は、管状器官内に挿入される可撓性チューブからなるシースと、シース内に挿入される可撓性シャフトと、可撓性シャフトの先端部に取付けられた先端面が曲面状をなす頭部と、前記頭部の基部寄りの部分から所定長さの部分において前記可撓性シャフト外周を覆う弾性樹脂被覆部と、前記弾性樹脂被覆部の外周に配置され、その状態で前記シース内に収納される管状器官用治療具とを備えていることを特徴とする管状器官用治療具の挿入装置を提供するものである。
【００１０】
上記発明によれば、管状器官用治療具を可撓性シャフト先端部の弾性樹脂被覆部の外周に配置し、その状態で縮径させてシース内部に収容すると、治療具が弾性樹脂被覆部に圧接されて食い込んで係合する。その結果、可撓性シャフトに対してシースを基部側に引くと、治療具が可撓性シャフトにくっついた状態でシースだけが移動するため、シース先端部から治療具をスムーズに吐出させて、管状器官内に留置することができる。
【００１１】
また、治療具を管状器官内に留置させた後、可撓性シャフトをシース内に引き戻してシースと一緒に管状器官内から引き抜く際に、可撓性シャフトの弾性樹脂被覆部が比較的滑らかな軟らかい表面を有しているため、拡張した治療具に引っ掛かることなくシース内に引き戻すことができ、また、管状器官等の内壁を損傷する心配がない。
【００１２】
本発明の第２は、前記第１の発明において、前記管状器官用治療具は、ステント、又はステント本体の外周又は内周に筒状のカバーを有するステントグラフトであるステント挿入装置を提供するものである。
【００１３】
上記発明によれば、管状器官の閉塞部にステントを配置して拡張したり、血管の動脈瘤の内側にステントグラフトを配置して動脈瘤の破裂を防止したりする治療に用いることができる。
【００１４】
本発明の第３は、前記第２の発明において、前記管状器官用治療具は、ステント本体外周にカバー部材を有し、該カバー部材が前記ステント本体の端部のみに固定されたステントグラフトからなり、前記ステント本体が前記シース内に収容され、前記カバー部材が前記シースの外周に被覆される管状器官用治療具の挿入装置を提供するものである。
【００１５】
上記発明によれば、シース内部にステント本体外周のカバー部材を挿入する必要がなく、ステント本体のみを収納することになるので、シース内部が窮屈にならずシースと弾性樹脂被覆部とのクリアランスを多く保つことができるため、よりスムーズにステント本体を押し出すことができる。
【００１６】
本発明の第４は、前記第１〜３の発明のいずれか１つにおいて、前記管状器官用治療具の端部の外周に絡み付けて引っ張ることにより、前記管状器官用治療具の端部を縮径させることができる線状部材を備えている管状器官用治療具の挿入装置を提供するものである。
【００１７】
上記発明によれば、管状器官用治療具をシース内に挿入する場合に、前記治療具の端部の外周に線状部材を絡み付けて牽引することにより、前記治療具の端部を縮径させて、シース内に容易に引き込むことができる。
【００１８】
本発明の第５は、前記第１〜４の発明のいずれか１つにおいて、前記可撓性シャフトの外周又は該可撓性シャフトの外周に装着されたチューブの外周に凹部が形成され、この凹部に弾性樹脂が充填されることによって、前記弾性樹脂被覆部が構成されている管状器官用治療具の挿入装置を提供するものである。
【００１９】
上記発明によれば、管状器官用治療具を弾性樹脂被覆部の外周に配置した状態でシース内に挿入すると、治療具が可撓性シャフトの外周の凹部に充填された弾性樹脂又は、チューブの外周の凹部に充填された弾性樹脂に食い込むと共に、弾性樹脂を囲む凹部の周壁に係合するため、係合力を高めることができる。また、治療具が開放された後は、弾性樹脂が元の形状に復帰して表面が滑らかになるので、治療具に引っ掛かることなくシースに収容でき、管状器官の内壁を損傷することを防止できる。
【発明の効果】
【００２０】
本発明によれば、管状器官用治療具を可撓性シャフト先端部の弾性樹脂被覆部の外周に配置し、その状態で縮径させてシース内部に収容すると、治療具が弾性樹脂被覆部に圧接されて食い込んで係合するので、可撓性シャフトに対してシースを基部側に引くと、治療具が可撓性シャフトにくっついた状態でシースだけが移動する。このため、シース先端部から治療具をスムーズに吐出させて、管状器官内に位置ずれすることなく留置することができる。
【発明を実施するための最良の形態】
【００２１】
本発明において、管状器官用治療具としては、前述したように、ステント、又はステント本体の外周又は内周に筒状のカバーを有するステントグラフトが好ましく適用できるが、その他、血管の閉塞具などに適用することもできる。
【００２２】
図１〜６には、本発明をステントグラフトの挿入装置に適用した一実施形態が示されている。図１はステントグラフトの挿入装置の全体を示す斜視図、図２はステントグラフトの端部外周に線状部材を絡み付けて牽引し、該端部を縮径させる手順を示す説明図、図３はステントグラフトを可撓性シャフトの先端部外周に配置して、線状部材を引っ張りながらシース内に収容する手順を示す説明図、図４はシースと弾性樹脂被覆部とのクリアランスを示す説明図、図５は血管内においてステントグラフトをシースから吐出させて拡張させる状態を示す説明図、図６はステントグラフトを血管内に留置させた状態を示す説明図である。
【００２３】
図１に示すように、このステント挿入装置１０は、管状器官内に挿入される可撓性チューブからなるシース２０と、シース２０内に挿入される可撓性シャフト３０と、可撓性シャフト３０の先端部に取付けられた先端面が曲面状をなす先端部３２と、先端部の基部寄りの部分から所定長さの部分において前記可撓性シャフト３０外周を覆う弾性樹脂被覆部３１と、弾性樹脂被覆部３１の外周に配置され、その状態でシース２０内に収納されるステントグラフト４０を備えている。
【００２４】
シース２０の材質としては、フッ素樹脂、ポリプロピレン、ポリエチレン、ポリ塩化ビニル、ポリウレタン、ポリイミド、ポリアミド、又はそれらの樹脂材料と金属線などの複合材料等が好ましく使用される。シース２０の内面は、ステント本体の食い込みがなく、ステントと可撓性シャフト３０をスムーズに押し出せるものである。
【００２５】
可撓性シャフト３０は、この実施形態では中空の筒形状をしているが、中実の線材であってもよい。可撓性シャフトが中空の筒形状をなす場合には、その内部には、図示しないガイドワイヤ等を挿入することが可能である。可撓性シャフト３０の材質としては、強度を有し、応力を加えた時に形状を付与できるなどの特性を有する材質が好ましく、例えばステンレスや、アルミニウム、Ｎｉ―Ｔｉ合金などの金属、あるいはそれらと樹脂との複合材料が好ましく使用される。
【００２６】
可撓性シャフト３０の先端部には、先端面が曲面状をなす頭部３２が形成されている。この頭部３２は、血管等の管状器官内を漸進させるときに、管状器官の内壁を損傷しないようにしている。可撓性シャフト３０の頭部３２の材質としては、例えばポリイミド、フッ素樹脂等の樹脂、ステンレス、アルミニウム、Ｎｉ−Ｔｉ合金などの金属、あるいはそれらと樹脂との複合材料などの可撓性シャフトに用いる材質などから選ばれた生体適合性のある合成樹脂が好ましく使用される。
【００２７】
可撓性シャフト３０の頭部３２先端面は、人体の管状器官の内面を傷つけない構造であり、例えば先端が鋭角に尖っていない、曲面状であることが好ましい。
【００２８】
可撓性シャフト３０の頭部３２の基部側から所定長さ部分には、弾性樹脂被覆部３１が形成されている。弾性樹脂被覆部３１の材質は、ステント本体を弾性樹脂被覆部３１に食い込ませる硬さであればよく、例えば、デュロメータ硬さ試験方法において、１０〜１００、好ましくは２０〜９５、さらに好ましくは３０〜９０程度の硬度を有するものを用いることが好ましい。弾性樹脂被覆部３１の材質としては、例えばパーフルオロポリオレフィン、ポリオレフィン、ポリウレタン、ポリエステル、又はポリアミドなどの樹脂やエラストマーを好ましく用いることができる。弾性樹脂被覆部３１の厚さとしては、ステント本体を弾性樹脂被覆部３１に効果的に食い込ませる厚みであればよく、例えば、０．０５〜５ｍｍの範囲が好ましい。
【００２９】
更に、図４に示すように、可撓性シャフト３０をシース２０内に挿入した状態で、弾性樹脂被覆部３１とシース２０とのクリアランス３４は、用いるステントや挿入する器官などにより適宜選択することができ、例えば、０．１〜５ｍｍ程度とすることが好ましい。
【００３０】
ステントグラフト４０は、図１に示すように、金属線材をメッシュ状かつ筒状に編んで形成したステント本体４１を、筒状カバーであるグラフト４２で被覆して構成されている。
【００３１】
ステント本体４１を形成する金属線材の材料としては、熱処理による形状記憶効果や、超弾性が付与される形状記憶合金が好ましく採用されるが、用途によってはステンレス、タンタル、チタン、白金、金、タングステンなどを用いてもよい。形状記憶合金としては、Ｎｉ−Ｔｉ系、Ｃｕ−Ａｌ−Ｎｉ系、Ｃｕ−Ｚｎ−Ａｌ系などが好ましく使用される。また、金属線材の表面に金、白金などをメッキ等の手段で被覆したものであってもよい。金属線材の太さは、特に限定されないが、例えば血管用ステント等の場合には、０．０８〜１ｍｍが好ましい。
【００３２】
グラフト４２としては、熱可塑性樹脂を押出し成形、ブロー成形などの成形方法で加工された円筒状に形成したもの、円筒状に形成した熱可塑性樹脂の繊維の編織物、円筒状に形成した熱可塑性樹脂の不織布、円筒状に形成した可撓性樹脂のシートや多孔質シートなどを用いることができる。編織物としては、平織、綾織などの公知の編物や織物を用いることができる。また、クリンプ加工などのヒダの付いたものを使用することもできる。
【００３３】
これらの中でも、グラフト４２としては、特に円筒状に形成した熱可塑性樹脂の繊維の編織物、更には円筒状に形成した熱可塑性樹脂の繊維の平織りの織物が、強度及び有孔度、生産性が優れるため好ましい。
【００３４】
熱可塑性樹脂としては、ポリエチレン、ポリプロピレン、エチレン−α−オレフィン共重合体などのポリオレフィン、ポリアミド、ポリウレタン、ポリエチレンテレフタレート、ポリブチレンテレフタレート、ポリシクロヘキサンテレフタレート、ポリエチレン−２，６−ナフタレートなどのポリエステル、ポリ弗化エチレンやポリ弗化プロピレンなどのフッ素樹脂などの耐久性と組織反応の少ない樹脂などを用いることができる。
【００３５】
特に、化学的に安定で耐久性が大きく、組織反応の少ない、ポリエチレンテレフタレートなどのポリエステル、ポリ弗化エチレンやポリ弗化プロピレンなどのフッ素樹脂を好ましく用いることができる。
【００３６】
グラフト４２は、縫着、接着、溶着等の手段によって、ステント本体４１に連結されている。この場合、グラフト４２は、ステント本体４１の伸縮に影響を及ぼさないように被覆し、連結する必要がある。
【００３７】
ステントグラフト４０は、拡張時における外径が２〜５０ｍｍ、長さが１〜５０ｃｍ程度であることが好ましい。
【００３８】
図２に示すように、このステント挿入装置１０は、ステントグラフト４０の端部を縮径させて、シース２０内に挿入しやすくするための線状部材３３を更に備えている。線状部材３３は、紐、糸、ワイヤ等の線状のもので、図２（Ａ）に示すように、ステント本体４１の端部の外周に絡み付けられる。そして、シース２０内にステントグラフト４０を挿入する際に、図２（Ｂ）に示すように、この線状部材３３を牽引することにより、ステントグラフト４０の端部を縮径させて、シース２０内に収納しやすくすることができる。線状部材３３の材質としては、グラフトを形成する熱可塑性樹脂、ステント本体を形成する金属線材の材料、綿や絹などの天然繊維などを好ましく用いることができる。
【００３９】
更に、図３（Ｂ）に示すように、この挿入装置１０は、可撓性シャフト３０の外周に配置され、シース２０の基端側からシース２０内に挿入されるチューブ状のプッシャ５０を備えていることが好ましい。このプッシャ５０の先端は、シース２０内に挿入されたステントグラフト４０の基端部に当接して、ステントグラフト４０をシース２０内から吐出させるときに、ステントグラフト４０の移動を規制する役割をなす。プッシャ５０の材質は、ステント本体を押し出せるものであればよく、例えば、グラフトを形成する熱可塑性樹脂、ステント本体を形成する金属線材の材料などを好ましく用いることができる。
【００４０】
次に、この管状器官用治療具の挿入装置の使用方法について、血管の動脈瘤の治療に適用する例を挙げて説明する。
【００４１】
最初の段階として、図３に示すように、ステントグラフト４０を、縮径された状態で、シース２０内に収容する必要がある。この場合、図２に示す線状部材３３を備える場合には、以下に述べる手順で、容易にシース２０内部に収容することができる。
【００４２】
すなわち、可撓性シャフト３０をシース２０に挿入し、その先端部をシース２０の先端から突出させた状態とし、その状態で弾性樹脂被覆部３１の外周にステントグラフト４０を配置する。ステントグラフト４０のステント本体４１の端部に線状部材３３を絡み付けておき、その端部を可撓性シャフト３０と一緒にシース２０内に通し、シース２０の基部側端部から引き出しておく。
【００４３】
この状態で線状部材３３を引っ張ることにより、図２（Ｂ）に示すように、ステントグラフト４０の端部が巾着袋の様に縮径する。そして、図３（Ａ）に示すように、可撓性シャフト３０と共に、ステントグラフト４０を移動させ、ステントグラフト４０の端部からシース２０内に引き込んで挿入していく。
【００４４】
こうして、図３（Ｂ）に示すように、ステントグラフト４０をシース２０内に収容することができる。このとき、ステントグラフト４０のステント本体４１を構成する線材の一部が、可撓性シャフト３０の先端部外周に被覆された弾性樹脂被覆部３０に食い込んで強い係合力が付与される。また、シース２０の基端部から、可撓性シャフト３０の外周に沿って、チューブ状のプッシャ５０を挿入しておく。なお、ステントグラフト４０をシース２０に収容したら、線状部材３３はステント本体４１の端部から引き抜いて取外しておくことが好ましい。
【００４５】
この状態で、挿入装置１０を、血管の動脈瘤が形成された治療箇所まで挿入していく。この場合、図示しないガイドワイヤを経皮的に血管内に挿入し、その先端を治療箇所まで到達させた後、このガイドワイヤに沿って親カテーテルを挿入し、親カテーテルの先端を治療箇所に到達させてもよい。そして、上記ステントグラフト４０及び可撓性シャフト３０を挿入したシース２０を、上記親カテーテルに挿入してシース２０の先端を治療箇所に配置する。
【００４６】
なお、可撓性シャフト３０内を通して図示しないガイドワイヤを挿入し、このガイドワイヤを経皮的に血管内に挿入して治療箇所に到達させ、親カテーテルを用いることなく、ステントグラフト４０及び可撓性シャフト３０を挿入したシース２０を上記ガイドワイヤに沿って直接血管内に挿入してもよい。
【００４７】
次の段階として、シース２０内部にプッシャ５０を挿入し、ステントグラフト４０の基端部に当接させて設置しておく。ただし、プッシャ５０の挿入は、ステントグラフト４０の収容時に行ってもよい。また、図示しないガイドワイヤを可撓性シャフト３０内部に挿入してシース２０の更なる進行を行ってもよい。
【００４８】
この状態で、Ｘ線モニタで位置を確認しながら、図５に示すように、ステントグラフト４０の先端部が血管Ａの動脈瘤Ｂより少し越した箇所に位置するようにシース２０の先端部を配置する。そして、可撓性シャフト３０、プッシャ５０を保持しながら、シース２０をそれらに対して基部側（図５の矢印Ｃ方向）に移動させる。すると、シース内に収容されていたステントグラフト４０が、シース２０の先端部より徐々に露出する。その結果、ステントグラフト４０の露出した部分が、自己拡張力によって拡径し、血管Ｂの内壁に圧接されて固定される。
【００４９】
このとき、前述したように、ステント本体４１を構成する線材の一部が、可撓性シャフト３０の先端部外周に被覆された弾性樹脂被覆部３０に食い込んで強い摩擦係合力が付与されているため、ステントグラフト４０は可撓性シャフト３０と一体に保持され、シース２０と一緒に移動してしまうことはない。
【００５０】
ステントグラフト４０が完全に押し出されると、図６に示すように、ステントグラフト４０は、全体が拡張して血管Ａの内壁に圧接され、動脈瘤Ｂの内周を十分に覆うように配置される。こうして、ステントグラフト４０は、血管Ａの動脈瘤Ｂの内周を覆った状態で留置され、血流はステントグラフト４０の内側を通り、動脈瘤Ｂには流れ込まなくなるので、動脈瘤Ｂの破裂を防止して、動脈瘤による危険を未然に防止することができる。
【００５１】
図７には、本発明をステントグラフトの挿入装置に適用した別の実施形態が示されている。この挿入装置１０ａは、ステントグラフト４０ａとして、ステント本体４１の外周にグラフト４２を有し、グラフト４２がステント本体４１の端部のみに固定されたものが使用されている。
【００５２】
この実施形態によれば、同図（Ａ）に示すように、ステント本体４１の端部に絡み付けた線材３３を引っ張りながら、シース２０内部にステント本体４１だけを引き込んで収容し、グラフト４２はシース２０の外側に被せていく。こうして同図（Ｂ）に示すように、ステント本体４１がシース２０内に収容され、グラフト４２はシース２０の先端部外周に配置される。なお、グラフト４２をシース２０外周に結束させるため、図示しないワイヤなどでグラフト４２を縛り付けておき、血管内に挿入した時点でワイヤを引き抜いて開放してもよい。
【００５３】
この挿入装置１０ａは、前記実施形態と同様な方法でステントグラフト４０を管状器官内に挿入することができる。その場合、シース２０内にステント本体４１だけを収容すればよいので、ステント本体４１のシース２０内への挿入、押出し作業をスムーズにかつ容易に行うことができる。
【００５４】
なお、プッシャ５０は、可撓性シャフト３０に対してシース２０を基部側に移動させて、ステントグラフト４０をシース２０の先端部から押出すとき、ステントグラフト４０を制止させて、ステントグラフト４０をシース２０内部より確実に突出させることができる。ただし、本発明の場合は、ステントグラフト４０のステント本体４１の線材が弾性樹脂被覆部３１に食い込んで、強い摩擦力で係合しているため、プッシャ５０が無い場合であっても、比較的容易にステントを突出させることが可能である。
【００５５】
図８には、本発明で用いられる可撓性シャフト３０の頭部３２の形状が例示されている。すなわち、同図（Ａ）はラクビーボール形状をなし、（Ｂ）は風船形状をなし、（Ｃ）は両端が半球状の円筒形状をなし、（Ｄ）は、先端部が曲面状で、両端に紡錘形状を成している。
【００５６】
図９、１０、１１には、本発明で用いられる可撓性シャフト３０の弾性樹脂被覆部の他の例が示されている。
【００５７】
図９（Ａ）、（Ｂ）に示す例では、軸方向に所定間隔で形成された複数の環状の凹部を表面に有するチューブ３１ａと、このチューブ３１ａの上記凹部に充填された弾性樹脂３１ｂとで、弾性樹脂被覆部が構成されている。
【００５８】
図１０（Ａ）、（Ｂ）に示す例では、螺旋状に形成された環状の凹部を表面に有するチューブ３１ｃと、このチューブ３１ｃの上記凹部に充填された弾性樹脂３１ｄとで、弾性樹脂被覆部が構成されている。
【００５９】
図１１（Ａ）、（Ｂ）に示す例では、軸方向に沿って直線状に形成された複数の平行な凹部を表面に有するチューブ３１ｅと、このチューブ３１ｅの上記凹部に充填された弾性樹脂３１ｆとで、弾性樹脂被覆部が構成されている。
【００６０】
このように、弾性樹脂被覆部は、弾性樹脂が部分的に被覆されたチューブで構成されていてもよい。
【００６１】
また、特に図示してはいないが、可撓性シャフト３０の外周に所定の凹部を形成し、この凹部に弾性樹脂を充填することによって、弾性樹脂被覆部を構成することもできる。この場合には、ステントグラフト４０を、シース２０内に収容する際に、ステントグラフト４０のステント本体４１を構成する線材の一部が、可撓性シャフト３０の外周の凹部に充填された弾性樹脂に食い込んで、強い係合力が付与される。
【図面の簡単な説明】
【００６２】
【図１】本発明をステントグラフトの挿入装置に適用した一実施形態を示す挿入装置全体の斜視図である。
【図２】ステントグラフトの端部外周に線状部材を絡み付けて牽引し、該端部を縮径させる手順を示す説明図である。
【図３】ステントグラフトを可撓性シャフトの先端部外周に配置して、線状部材を引っ張りながらシース内に収容する手順を示す説明図である。
【図４】シースと弾性樹脂皮膜部とのクリアランスを示す説明図である。
【図５】血管内においてステントグラフトをシースから吐出させて拡張させる状態を示す説明図である。
【図６】ステントグラフトを血管内に留置させた状態を示す説明図である。
【図７】本発明をステントグラフトの挿入装置に適用した別の実施形態を示す説明図である。
【図８】本発明に用いられる可撓性シャフトの先端部に取付けられる頭部の形状の例を示す説明図である。
【図９】本発明で用いられる可撓性シャフト３０の弾性樹脂被覆部の他の例を示す断面図である。
【図１０】本発明で用いられる可撓性シャフト３０の弾性樹脂被覆部の更に他の例を示す断面図である。
【図１１】本発明で用いられる可撓性シャフト３０の弾性樹脂被覆部の更に他の例を示す断面図である。
【符号の説明】
【００６３】
１０  ステントグラフトの挿入装置
２０  シース
３０  可撓性シャフト
３１  弾性樹脂被覆部
３１ａ、３１ｃ，３１ｅ  チューブ
３１ｂ、３１ｄ、３１ｆ  弾性樹脂
３２  頭部
３３  線状部材
３４  弾性樹脂被覆部とシースとのクリアランス
４０  ステントグラフト
４１  ステント本体
４２  グラフト
５０  プッシャ
【図１】
2005058458.tif 000003
【図２】
2005058458.tif 000004
【図３】
2005058458.tif 000005
【図４】
2005058458.tif 000006
【図５】
2005058458.tif 000007
【図６】
2005058458.tif 000008
【図７】
2005058458.tif 000009
【図８】
2005058458.tif 000010
【図９】
2005058458.tif 000011
【図１０】
2005058458.tif 000012
【図１１】
2005058458.tif 000013